(57)【要約】      （修正有）【課題】レンジファインダ調整レバーのための付加的に存在する制御カムの開口に対し最後部のレンズ要素の直径が拡大された交換対物レンズ。【解決手段】バヨネット結合部を備えるヘリコイド装置が、軸線方向に直線的に案内されシリンダ状リングとして構成された対物レンズヘッド支持体を駆動するための回動伝動部材と、該回動伝動部材と結合し外部から操作可能なフォーカシングリングとを含み、前記フォーカシングリングは、前記対物レンズヘッドの後部フレーム部を対物レンズヘッド支持体内に嵌め込むために、半径方向に指向された結合手段の除去により回動伝動部材から分離可能にかつ該対物レンズヘッドの前部フレーム部材上に摺動可能に、前記対物レンズヘッドの中間フレーム部材には、ネジリングが回動可能に、前記ネジリングは、対物レンズヘッドと前記対物レンズヘッド支持体とを結合するために、該対物レンズヘッド支持体上に螺嵌可能に構成される。【選択図】          図２
2005242352.tif 000002
【特許請求の範囲】
【請求項１】
機械的に構成された対物レンズヘッド（１）と、バヨネット結合部（１５）を備えるヘリコイド装置（１４）とを有するレンジファインダ式カメラ用の交換対物レンズであって、
前記ヘリコイド装置（１４）が、軸線方向に直線的に案内されシリンダ状リングとして構成された対物レンズヘッド支持体（１７）を駆動するための回動伝動部材（１６）と、該回動伝動部材（１６）と結合し外部から操作可能なフォーカシングリング（１８）とを含んで構成された交換対物レンズにおいて、
・前記フォーカシングリング（１８）は、前記対物レンズヘッド（１）の後部フレーム部（５）を前記対物レンズヘッド支持体（１７）内に嵌め込むために、半径方向に指向された結合手段（１９）の除去により前記回動伝動部材（１６）から分離可能に構成されかつ該対物レンズヘッド（１）の前部フレーム部材（３）上に摺動可能に構成されること、
・前記対物レンズヘッド（１）の中間フレーム部材（４）には、ネジリング（７）が回動可能に支承されること、及び
・前記ネジリング（７）は、前記対物レンズヘッド（１）と前記対物レンズヘッド支持体（１７）とを結合するために、該対物レンズヘッド支持体（１７）上に螺嵌可能に構成されること
を特徴とする交換対物レンズ。
【請求項２】
前記対物レンズヘッド支持体（１７）の内壁及び前記対物レンズヘッド（１）の前記後部フレーム部（５）の外被面には、該対物レンズヘッド支持体（１７）における該対物レンズヘッド（１）の半径方向の適正位置を規定する互いに調整された案内要素（２５、１３）がそれぞれ形成されること
を特徴とする請求項１に記載の交換対物レンズ。
【請求項３】
前記対物レンズヘッド支持体（１）の前記バヨネット結合部（１５）を指向する側の端部（領域）において、該バヨネット結合部（１５）内で、駆動リング（２１）が回動可能に配設され、かつ前記回動伝動部材（１６）と結合されること
を特徴とする請求項１に記載の交換対物レンズ。
【請求項４】
前記駆動リング（２１）の後端面（２７）には、レンジファインダ調整レバーを調整するためのアキシャルカムが形成されること
を特徴とする請求項３に記載の交換対物レンズ。
【請求項５】
前記対物レンズヘッド（１）は、独立して嵌合保持される最後部レンズ要素（９）を有し、該最後部レンズ要素（９）は、該対物レンズヘッド（１）のフレーム内において、軸線方向に位置調整可能に配設されること
を特徴とする請求項１に記載の交換対物レンズ。
【請求項６】
前記最後部レンズ要素（９）の位置調整のために、小さなピッチを有する螺旋ネジ（１０）が形成されること
を特徴とする請求項５に記載の交換対物レンズ。
【請求項７】
前記最後部レンズ要素（９）の位置調整のために、当該最後部レンズ要素（９）のフレーム（８）には、小さな勾配ないしピッチを有する少なくとも１つの溝が設けられ、かつ前記対物レンズヘッド（１）のフレームには、該溝に係入し弾性的に支承されるボールが設けられること
を特徴とする請求項５に記載の交換対物レンズ。
【請求項８】
前記最後部レンズ要素（９）における調整リング（１１）の後端面には、伝動溝（１２）が形成され、該伝動溝（１２）は、前記対物レンズヘッド（１）を前記対物レンズヘッド支持体（１７）に嵌め込む際に、前記駆動リング（２１）に形成された伝動突起（２４）と係合可能に構成されること
を特徴とする請求項３〜７までの何れか１項に記載の交換対物レンズ。
【発明の詳細な説明】
【技術分野】
【０００１】
本発明は、レンジファインダ式カメラ用の交換対物レンズに関し、とりわけ機械的に構成された対物レンズヘッドと、バヨネット結合部を備えるヘリコイド装置とを有するレンジファインダ式カメラ用の交換対物レンズであって、前記ヘリコイド装置が、軸線方向に直線的に案内されシリンダ状リングとして構成された対物レンズヘッド支持体を駆動するための回動伝動部材と、該回動伝動部材と結合し外部から操作可能なフォーカシングリングとを含んで構成された交換対物レンズに関する。
【背景技術】
【０００２】
この種の交換対物レンズは多々知られている（例えば、後掲特許文献１参照。）。通常、対物レンズをフォーカシングするための駆動装置は、ヘリコイド装置（Schneckengang）と称される。ヘリコイド装置は、フォーカシングの際に対物レンズの光学要素を調整するためのすべての機械部材を含む。付加的に、ヘリコイド装置には、対物レンズをカメラケーシングに交換可能に取り付けるために通常バヨネットとして構成される装置が結合される。レンジファインダ式カメラでは、対物レンズは、カメラを指向する側の開口部に、カメラケーシングに配設されたレンジファインダ調整レバーを調整するための制御カム（例えば、図３の符号１０参照。）を有する。
【０００３】
【特許文献１】ＤＥ ２０ ４０ ２２７
【発明の開示】
【発明が解決しようとする課題】
【０００４】
対物レンズのすべての光学要素は、調整可能な開口絞りと共に、予め組み立てられた対物レンズヘッド内に機械的に組み込まれる。通常は、（各要素が）組み込まれた対物レンズヘッドは、ヘリコイド装置内のシリンダ状リングとして構成された対物レンズヘッド支持体に嵌め込まれ、バヨネット側からネジ込みリング（例えば、図４の符号３０参照。）によって保持される。この場合、ネジ込みリングの機械的寸法は、バヨネット領域において光通過のための自由開口を必然的に制限する。従って、対物レンズヘッドの（物体側から見て）最後部のレンズ要素の最大径は、規格化されたバヨネット径とレンジファインダ調整レバーのための付加的に存在する制御カムとによって制限される。とりわけ、最後部のレンズ要素の像側を凹面とした場合結像光線束は当該面から拡散するので、最後部レンズ要素はけられを防止するためにバヨネット開口部に位置されることとなり、最後部レンズ要素の最大径の制限は一層甚だしくなる。
【０００５】
それゆえ、本発明の課題は、規格化されたバヨネット径ないしレンジファインダ調整レバーのための付加的に存在する制御カムの開口に対し最後部のレンズ要素の直径が拡大された交換対物レンズを創製することである。この場合、最後部のレンズ部材が、近距離調整領域における（結）像欠陥ないし収差（Bildfehlern）を補償するために調整可能に構成される可能性が付加的に存在すべきである。
【課題を解決するための手段】
【０００６】
上記の課題を解決するために、本発明の一視点により、機械的に構成された対物レンズヘッドと、バヨネット結合部を備えるヘリコイド装置とを有するレンジファインダ式カメラ用の交換対物レンズであって、前記ヘリコイド装置が、軸線方向に直線的に案内されシリンダ状リングとして構成された対物レンズヘッド支持体を駆動するための回動伝動部材と、該回動伝動部材と結合し外部から操作可能なフォーカシングリングとを含んで構成された交換対物レンズが提供される。この交換対物レンズにおいて、・前記フォーカシングリングは、前記対物レンズヘッドの後部フレーム部を前記対物レンズヘッド支持体内に嵌め込む（挿入する）ために、半径方向に指向された結合手段（ないしネジ結合部材）の除去により前記回動伝動部材から分離（離脱）可能に構成されかつ該対物レンズヘッドの前部フレーム部材上に摺動可能に構成されること、・前記対物レンズヘッドの中間フレーム部材には、ネジリングが回動可能に支承されること、及び・前記ネジリングは、前記対物レンズヘッドと前記対物レンズヘッド支持体とを結合するために、該対物レンズヘッド支持体上に螺嵌可能に構成されることを特徴とする（形態１・基本構成）。
【発明の効果】
【０００７】
独立請求項１に係る発明により、上記課題に対応する効果が上述の通り達成される。即ち、本発明により、交換対物レンズの最後部のレンズ要素の直径を拡大することが可能となった。
【発明を実施するための最良の形態】
【０００８】
以下に、上記基本構成を形態１として本発明の好ましい実施の形態を示すが、これらは従属請求項の対象でもある。
（２）上記形態１の交換対物レンズにおいて、前記対物レンズヘッド支持体の内壁及び前記対物レンズヘッドの前記後部フレーム部の外被面には、該対物レンズヘッド支持体における該対物レンズヘッドの半径方向の配向（適正位置）を規定する互いに調整された案内要素がそれぞれ形成されることが好ましい（形態２）。
（３）上記形態１の交換対物レンズにおいて、前記対物レンズヘッド支持体の前記バヨネット結合部を指向する側の端部（領域）において、該対物レンズヘッド支持体内で、駆動リングが回動可能に配設され、かつ前記回動伝動部材と結合されることが好ましい（形態３）。
（４）上記形態３の交換対物レンズにおいて、前記駆動リングの後端面には、レンジファインダ調整レバーを調整するためのアキシャルカムが形成されることが好ましい（形態４）。
（５）上記形態１の交換対物レンズにおいて、前記対物レンズヘッドは、独立して嵌合保持される最後部レンズ要素を有し、該最後部レンズ要素は、該対物レンズヘッドのフレーム内において、軸線方向に位置調整可能に配設されることが好ましい（形態５）。
（６）上記形態５の交換対物レンズにおいて、前記最後部レンズ要素の位置調整のために、小さなピッチを有する螺旋ネジが形成されることが好ましい（形態６）。
（７）上記形態５の交換対物レンズにおいて、前記最後部レンズ要素の位置調整のために、当該後部レンズ要素のフレームには、小さな勾配ないしピッチ（Steigung）を有する少なくとも１つの溝が設けられ、かつ前記対物レンズヘッドのフレームには、該溝に係入し弾性的に支承されるボールが設けられることが好ましい（形態７）。
（８）上記形態３〜７の交換対物レンズにおいて、前記最後部レンズ要素における調整リングの後端面には、伝動溝が形成され、該伝動溝は、前記対物レンズヘッドを前記対物レンズヘッド支持体に嵌め込む（挿入する）際に、前記駆動リングに形成された伝動突起と係合可能に構成されることが好ましい（形態８）。
【０００９】
本発明の重要な技術思想は、通常はヘリコイド装置の組み込み部材として回動伝動部材に固定的に結合されるフォーカシングリングが、対物レンズヘッドを取り付けるために、外側（外部）からヘリコイド装置から取り外す（分離する）ことができるような寸法・構造とされかつ取り付けられるということにある。その後（ヘリコイド装置からの分離後）、フォーカシングリングは、対物レンズヘッドの中央部から、対物レンズヘッドの前部フレーム部材上に摺動可能に構成されるべきである。これによって、対物レンズの中央部分において、対物レンズヘッド支持体の挿入開口部が、組み立て作業のために自由に利用可能となる。対物レンズヘッドの中間フレーム部材において当該中間フレーム部材ないし対物レンズヘッドに対し回動可能に支承されるネジリングは、対物レンズヘッド支持体上に螺嵌可能に構成されるため、対物レンズヘッドをストッパに至るまで（係止するまで）対物レンズヘッド支持体の内部へ引っ張り入れる。相応にして互いに調整された案内要素は、対物レンズヘッドを、対物レンズヘッド支持体内で適正な位置（関係）に配置しかつ調整可能なレンズ要素の駆動リングのための案内要素に対して適正な位置に配置する（orientieren）。その後、フォーカシングリングは、摺動されてヘリコイド装置上に再び戻され、回動伝動部材と結合される。
【００１０】
バヨネット結合部の開口部に位置する最後部レンズ要素の直径は、従来の対物レンズ構造の場合と比較して格段に大きくすることができる。このため、より大きな開口を有する対物レンズを開発する際、光学系構造により多くの自由度が得られる。
【００１１】
以下に、本発明の実施例を図面を参照して詳細に説明する。なお、以下の実施例は、発明の理解の容易化のためのものであり、本発明の技術的思想を逸脱しない範囲において当業者により実施可能な付加・置換等を排除することは意図しない。また、特許請求の範囲に付した図面参照符号も発明の理解の容易化のためのものであって、本発明を図示の態様に限定することは意図しない。なお、これらの点に関しては、補正・訂正後においても同様である。
【実施例】
【００１２】
図１（ａ）に示した対物レンズヘッド１では、すべての光学レンズ要素が互いに対し所定の位置関係をなして機械的フレーム２内に保持されている。機械的フレーム２は、前部フレーム部材３、中間フレーム部材４及び（中間フレーム部材４と一体の）後部フレーム部５を含む。
【００１３】
前部フレーム部材３内には、調整可能な開口絞り６が嵌め込まれる。中間フレーム部材４には、ネジリング７が軸線方向では（位置）固定されて回動可能に支承される。後部フレーム部５内には、最後部レンズ要素９のための独立した（別個の）フレーム８が嵌め込まれる。フレーム８は、螺旋ネジ１０を介して、機械的フレーム２の内部において回転によって軸方向に位置調整可能に構成される。フレーム８上には、軸線方向に伝動溝１２を含む調整リング１１が螺嵌される。
【００１４】
対物レンズヘッド１の組み立ての際には、フレーム８は、螺旋ネジ１０における回転により、最後部レンズ要素９から当該最後部レンズ要素９に前置されたレンズ要素までの空気間隔が所定の設定間隔に相当するまで位置調整される。その後、調整リング１１は、フレーム８上に螺嵌され、対物レンズヘッド１を半径方向において適正位置に調整するために伝動溝１２と中間フレーム部材４に付加ないし形成された案内ウェブ１３とが整列する位置に固定される。
【００１５】
図１（ｂ）に示したヘリコイド装置１４は、位置固定部材としてバヨネット結合部１５を有する。ヘリコイド装置１４内には、回動伝動部材１６が回動可能に支承されている。回動伝動部材１６は、対物レンズヘッド支持体１７と係合状態にある。対物レンズヘッド支持体１７は、それ自体既知の態様でヘリコイド装置１４内において直線的に案内され、従って回動伝動部材１６の回転により、軸線方向に位置調整される。回動伝動部材１６の回転は、回動伝動部材１６に固定されたフォーカシングリング１８を操作することによって行われる。フォーカシングリング１８は、半径方向に作用するネジ結合部材１９をネジ結合部１９’から除去することによって、回動伝動部材１６から分離可能とされる。
【００１６】
バヨネット結合部１５の開口部２０の内部では、対物レンズヘッド支持体１７に駆動リング２１が螺入され、このようにして、対物レンズヘッド支持体１７のフォーカシング運動の際に、（駆動リング２１は）当該対物レンズヘッド支持体１７と共に軸線方向に（位置）調整可能とされる。駆動リング２１には、半径方向に指向されたピン２２が螺入される。このピン２２は、回動伝動部材１６の軸線方向に延在する溝２３と係合する。従って、回動伝動部材１６の回転の際に、駆動リング２１は、付加的にそのネジ結合部において回転される。ネジ結合部のネジ勾配ないしピッチ（Steigung）は、対物レンズヘッド支持体１７のフォーカシング調整運動をレンジファインダ調整レバーの相応する調整経路（距離）に適合するために使用することができる。
【００１７】
駆動リング２１は、ヘリコイド装置１４の内部に延在する縁部に伝動（連行）突起２４を有する。この伝動突起２４は、図示の位置では、対物レンズ支持体１７内において案内溝２５と整列する。駆動リング２１の外方を指向する後端面２７は、レンジファインダ調整レバー（不図示）のための当接面として作用し、付加的に、対物レンズヘッド支持体１７のフォーカシング調整運動とレンジファインダ調整レバーの相応する調整経路（距離）との間で調整を行うためのアキシャル（軸線方向）制御カムを有し得る。
【００１８】
図２は、ヘリコイド装置１４に取り付けられた状態の対物レンズヘッド１を示す。フォーカシングリング１８は、回動伝動部材から分離され、対物レンズヘッド１の前部フレーム部材３上にスライドされている。従って、中間フレーム部材４において回動可能に支承されたネジリング７に対し、対物レンズヘッド支持体１７のネジ２６への螺嵌のための回転のために外部からアクセスすることが可能となる。
【００１９】
対物レンズヘッド１の後部フレーム部５は、案内ウェブ１３が案内溝２５と係合しかつ伝動溝１２が伝動突起２４と係合するように対物レンズヘッド支持体１７内に挿入される。この場合、ネジリング７は、対物レンズヘッド支持体１７に取り付けられた（形成された）ネジ２６上に螺嵌され、対物レンズヘッド支持体１７に対物レンズヘッド１の中間フレーム部材４が当接したとき固定される。その後、フォーカシングリング１８は、摺動されてヘリコイド装置１４上に戻され、再び回動伝動部材１６と結合される。
【００２０】
フォーカシングリング１８での回転の際に、対物レンズヘッド１全体が軸線方向に摺動される。この際、最後部レンズ要素９は、付加的に、そのフレーム８と共に回転され、螺旋ネジ１０を介して（対物レンズヘッド１の）他のレンズ要素に対して相対的に軸線方向に位置調整される。螺旋ネジ１０のネジ勾配（ないしピッチ）は、小さく構成され、かつ遠く離れた物体（被写体）に対するフォーカシングから近距離領域に存在する物体（被写体）に対するフォーカシングへの移行時に、最後部レンズ要素９と当該最後部レンズ要素９に前置されたレンズ要素との間の間隔が増大するように構成される。
【００２１】
螺旋ネジ１０の代わりに、当該螺旋ネジ１０があるべき位置に、フレーム８の溝と対物レンズヘッド１の後部フレーム部５に弾性的に支承されるボールとから構成されるそれ自体既知のピン／スリット案内機構を設けることも可能である。ボールの支承（部材）は、フレーム８を対物レンズヘッド１の後部フレーム部５に嵌め込む際に、ボールが半径方向（の内方）に後退し、そして（所定位置に到達したとき）溝に（パチンと）嵌り込む（スナップ嵌合）ように選択することができる。
【図面の簡単な説明】
【００２２】
【図１】（ａ）  本発明の交換対物レンズの一例の機械的に構築された対物レンズヘッドの一部を断面で示した平面図。  （ｂ）  本発明の交換対物レンズの一例のヘリコイド装置を一部断面で示した平面図。なお、ヘリコイド装置の軸線が（ａ）の対物レンズヘッドの軸線と一致するように記載されている。
【図２】組み立てられた状態の本発明の交換対物レンズの一例の一部を断面で示した平面図。
【図３】従来の対物レンズの一例。
【図４】従来の対物レンズの他の一例。
【符号の説明】
【００２３】
１  対物レンズヘッド
２  機械的フレーム
３  前部フレーム部材
４  中間フレーム部材
５  後部フレーム部
６  開口絞り
７  ネジリング
８  （最後部レンズ要素９の）フレーム
９  最後部レンズ要素
１０  螺旋（雄）ネジ
１１  調整リング
１２  伝動（連行）溝
１３  案内ウェブ
１４  ヘリコイド装置
１５  バヨネット結合部
１６  回動伝動部材
１７  対物レンズヘッド支持体
１８  フォーカシングリング
１９  ネジ結合部材（結合手段）
１９’  （ネジ結合部材１９のための）ネジ結合部
２０  バヨネット結合部の開口部
２１  駆動リング
２２  半径方向ピン
２３  回動伝動部材内で軸線方向に指向された溝
２４  伝動（連行）突起
２５  案内溝
２６  対物レンズヘッド支持体のネジ
２７  駆動リングの後端面
【図１】
2005242352.tif 000003
【図２】
2005242352.tif 000004
【図３】
2005242352.tif 000005
【図４】
2005242352.tif 000006